(57)【要約】【課題】  薄型化を図ることが可能な両面読取用画像読取装置を提供する。【解決手段】  本発明の画像読取装置Ａ１は、読取対象物Ｄｃの第１の読取対象面Ｄｃ１を読み取る第１のイメージセンサモジュール１０１Ａと、反対側の第２の読取対象面Ｄｃ２を読み取る第２のイメージセンサモジュール１０１Ｂと、を備えている。第１のイメージセンサモジュール１０１Ａは、第１の読取対象面Ｄｃ１に対して傾斜する第１の設置面５１Ａを有する第１の基板５Ａと、第１の基板５Ａを収容する第１のケース１Ａと、第１の設置面５１Ａに設置された第１の受光手段６Ａと、第１の受光手段６Ａに第１の読取対象面Ｄｃ１からの光を導く第１のレンズ部材４Ａと、を備えている。【選択図】  図２
2012253537.tif 000002
【特許請求の範囲】
【請求項１】
読取対象物の第１の読取対象面を読み取る第１のイメージセンサモジュールと、
上記読取対象物の上記第１の読取対象面の反対側に位置する第２の読取対象面を読み取る第２のイメージセンサモジュールと、を備えた画像読取装置であって、
上記第１のイメージセンサモジュールは、上記第１の読取対象面に対して傾斜する第１の設置面を有する第１の基板と、上記第１の基板を収容する第１のケースと、上記第１の設置面に設置された第１の受光手段と、上記第１の受光手段に上記第１の読取対象面からの光を導く第１のレンズ部材と、を備えていることを特徴とする、画像読取装置。
【請求項２】
上記第２のイメージセンサモジュールは、上記第２の読取対象面に対して傾斜する第２の設置面を有する第２の基板と、上記第２の基板を収容する第２のケースと、上記第２の設置面に設置された第２の受光手段と、上記第２の受光手段に上記第２の読取対象面からの光を導く第２のレンズ部材と、を備えている、請求項１に記載の画像読取装置。
【請求項３】
上記第１のケースは、主走査方向と直交し、かつ、副走査方向に対して傾斜する第１の方向における一方側ほど、主走査方向および上記第１の方向と直交する第２の方向における長さ寸法が短くなるように形成されており、
上記第２のケースは、上記第１の方向における他方側ほど上記第２の方向における長さ寸法が短くなるように形成されており、
上記第１の方向視において、上記第１のケースと上記第２のケースとが重なるように配置されている、請求項２に記載の画像読取装置。
【請求項４】
上記第１のケースは、副走査方向における一方側ほど、主走査方向および副走査方向と直交する方向における長さ寸法が短くなるように形成されており、
上記第１のイメージセンサモジュールは、副走査方向において上記第１のレンズ部材よりも一方側に配置された第１の線状光源を備えており、
上記第２のケースは、副走査方向における他方側ほど、主走査方向および副走査方向と直交する方向における長さ寸法が短くなるように形成されており、
上記第２のイメージセンサモジュールは、副走査方向において上記第２のレンズ部材よりも他方側に配置された第２の線状光源を備えている、請求項３に記載の画像読取装置
【請求項５】
上記第１のイメージセンサモジュールは、上記第１の線状光源が出射する光を透過する第１の透明カバーを有しており、
上記第２のイメージセンサモジュールは、上記第２の線状光源が出射する光を透過する第２の透明カバーを有しており、
上記第１の透明カバーは、上記第１の読取対象面に沿う第１の側面を有しており、
上記第２の透明カバーは、上記第２の読取対象面に沿う第２の側面を有している、請求項４に記載の画像読取装置。
【請求項６】
上記第１の透明カバーは、上記第１のケースの主走査方向および副走査方向と直交する方向における一方の端部に形成された第１のカバー嵌合部に嵌め込まれており、
上記第２の透明カバーは、上記第２のケースの主走査方向および副走査方向と直交する方向における他方の端部に形成された第２のカバー嵌合部に嵌め込まれている、請求項５に記載の画像読取装置。
【請求項７】
上記第１の側面は、主走査方向および副走査方向と直交する方向視において、上記第２のレンズ部材と重なっており、
上記第２の側面は、主走査方向および副走査方向と直交する方向視において、上記第１のレンズ部材と重なっている、請求項６に記載の画像読取装置。
【請求項８】
上記第１の透明カバーは、副走査方向において上記第１の側面から遠ざかるにつれて、主走査方向および副走査方向と直交する方向において第１の読取対象面から遠ざかるように上記第１の側面に対して傾斜している側面を有している、請求項７に記載の画像読取装置。
【請求項９】
上記第１の透明カバーは、上記第１の線状光源から上記第２のレンズ部材に向かう光を遮断する遮光部材を備えている、請求項５ないし８のいずれかに記載の画像読取装置。
【請求項１０】
上記第２の透明カバーは、上記第２の線状光源から上記第１のレンズ部材に向かう光を遮断する遮光部材を備えている、請求項５ないし９のいずれかに記載の画像読取装置。
【請求項１１】
上記第２の設置面が上記第１の設置面と平行となるように、上記第１の基板および上記第２の基板は配置されている、請求項４ないし１０のいずれかに記載の画像読取装置。
【請求項１２】
上記第１の設置面および上記第２の設置面が上記第２の方向に対して垂直である、請求項１１に記載の画像読取装置。
【請求項１３】
上記第１のケースは、上記第２の方向における一方側の端部に上記第２の方向に凹む第１の凹部を有しており、
上記第１の基板は上記第１の凹部に嵌め込まれており、
上記第２のケースは、上記第２の方向における他方側の端部に上記第２の方向に凹む第２の凹部を有しており、
上記第２の基板は上記第２の凹部に嵌め込まれている、請求項１２に記載の画像読取装置。
【請求項１４】
上記第１のケースは、上記第１の凹部に通じる第１の開口部を有しており、
上記第１のレンズ部材は、主走査方向および副走査方向と直交する方向に沿う光軸を有しており、主走査方向および副走査方向と直交する方向における第１の読取対象面から遠い方の端部は上記第１の開口部に臨んでいる、請求項１３に記載の画像読取装置。
【請求項１５】
上記第１の受光手段は、上記第１の設置面のうち上記第１の開口部に臨む部分に設置されている、請求項１４に記載の画像読取装置。
【請求項１６】
上記第１の開口部は、上記第２の方向視において主走査方向に長く延びる長矩形状である、請求項１５に記載の画像読取装置。
【請求項１７】
上記第１の受光手段は、上記光軸と上記第１の設置面とが交差する位置よりも上記第１の方向における一方側に設置されている、請求項１６に記載の画像読取装置。
【請求項１８】
上記第１のケースは、上記第１の凹部に通じ、かつ、上記第１の開口部よりも上記第１の方向における一方側に位置する第２の開口部を有しており、
上記第１の線状光源は、主走査方向に長く延びる第１の光出射面を有する第１の導光体と、上記第１の光出射面を露出させるように上記第１の導光体を覆う第１のリフレクタと、上記第１の導光体に光を供給する第１の光源手段と、を備えており、
上記第１の光源手段は上記第２の開口部に収容されており、かつ、上記第１の基板に連結されている、請求項１４ないし１７のいずれかに記載の画像読取装置。
【請求項１９】
上記第２の開口部が主走査方向に長く延びる溝状の部分を有しており、この溝状の部分から上記第１のリフレクタが露出している、請求項１８に記載の画像読取装置。
【請求項２０】
上記第１の基板が、上記第２の方向視においてＬ字状に形成されており、
上記第１の凹部が、上記第１の基板が嵌合する上記第２の方向視Ｌ字状に形成されている、請求項１８に記載の画像読取装置。
【請求項２１】
上記第１の基板に上記第２の方向に貫通する貫通孔が形成されており、
上記第１のケースは、上記貫通孔に嵌合する突起部を有しており、
上記貫通孔は、上記第１の方向において上記第１の受光手段よりも一方側に位置し、
上記突起部は、上記第２の方向視において上記第１のリフレクタと重なっている、請求項１８に記載の画像読取装置。
【請求項２２】
上記第１の設置面および上記第２の設置面が上記第１の方向に対して垂直である、請求項１１に記載の画像読取装置。
【発明の詳細な説明】
【技術分野】
【０００１】
本発明は、読取対象物の両面を読み取ることができるように１対のイメージセンサモジュールが組み込まれた画像読取装置に関する。
【背景技術】
【０００２】
近年、両面読取が可能な画像読取装置の普及が進んでいる。たとえば特許文献１には、副走査方向に搬送される読取対象物の両面を読み取るように構成された画像読取装置の一例が示されている。このような画像読取装置では、１対のイメージセンサモジュールが読取対象物を挟むように配置されている。図１５には、両面読取可能な画像読取装置の一例の要部を示している。図１５に示す画像読取装置９０は、副走査方向（図中ｙ方向）と直交する方向（図中ｚ方向）において読取対象物Ｄｃを挟むように配置されたイメージセンサモジュール９０Ａおよびイメージセンサモジュール９０Ｂを備えている。イメージセンサモジュール９０Ａ，９０Ｂは、それぞれ、ケース９１、線状光源９２、レンズ部材９３、受光手段９４、基板９５、および、透明カバー９６を備えている。図１５に示すように、読取対象物Ｄｃは１対の透明カバー９６同士の隙間を通るように、図示しない搬送手段によってｙ方向に沿って搬送される。線状光源９２は主走査方向に沿う線状光を読取対象物Ｄｃに向けて出射する。レンズ部材９３は読取対象物Ｄｃによって反射された光を受光手段９４に収束させる。受光手段９４は、受光した光に応じて電気信号を出力し、この電気信号を外部に出力することにより、読取対象物Ｄｃの画像の読み取りを行う。
【０００３】
画像読取装置の分野においても装置の小型化が進められている。ただし、画像読取装置９０の主走査方向における長さは読取対象物Ｄｃのサイズに応じて定められるものであり、画像読取装置９０の主走査方向における長さを短くする意義は薄い。画像読取装置９０の小型化を図る場合には、たとえばｚ方向における長さ寸法を短縮する薄型化が有効的である。しかしながら、画像読取装置９０では、イメージセンサ９０Ａ，９０Ｂがｚ方向における図中上下に配置されているため、ｚ方向における長さ寸法が長くなる傾向がある。このことは、画像読取装置９０の薄型化を阻害する要因となっている。
【先行技術文献】
【特許文献】
【０００４】
【特許文献１】特開平１１−２２０５８１号公報
【発明の概要】
【発明が解決しようとする課題】
【０００５】
本発明は、上記した事情のもとで考え出されたものであって、薄型化を図ることが可能な両面読取用画像読取装置を提供することを課題とする。
【課題を解決するための手段】
【０００６】
本発明によって提供される画像読取装置は、読取対象物の第１の読取対象面を読み取る第１のイメージセンサモジュールと、上記読取対象物の上記第１の読取対象面の反対側に位置する第２の読取対象面を読み取る第２のイメージセンサモジュールと、を備えた画像読取装置であって、上記第１のイメージセンサモジュールは、上記第１の読取対象面に対して傾斜する第１の設置面を有する第１の基板と、上記第１の基板を収容する第１のケースと、上記第１の設置面に設置された第１の受光手段と、上記第１の受光手段に上記第１の読取対象面からの光を導く第１のレンズ部材と、を備えていることを特徴とする。
【０００７】
このような構成によれば、上記第１の設置面をたとえば水平とした場合、第１の読取対象面は傾斜した状態となる。第１の読取対象面を水平方向に対して傾斜させようとする場合、上記第１のケースの側面のいずれかを水平方向に対して傾斜させることが合理的である。上記第１のケースが水平方向に対して傾斜する側面を有する場合、上記第１のケースは水平方向における一方が垂直方向に短く、他方が長くなるようになるのが自然である。上記読取対象物としては厚みの薄い紙状の物が想定され、上記第２の読取対象面を読み取るため上記第２のイメージセンサモジュールは、上記第１のケースの傾斜する側面と同じ方向に傾斜する側面を持つように構成されるのが適当である。このため、第２のイメージセンサモジュールも第１のイメージセンサモジュールと同様に、水平方向によって垂直方向の長さが変化する形状となるのが自然である。上記第２のイメージセンサモジュールを水平方向における一方が垂直方向に長く、他方が短くなるように構成して、上記第１のイメージセンサモジュールと組み合わせることにより、上記第１のイメージセンサモジュールと上記第２のイメージセンサモジュールとを合わせた垂直方向における長さ寸法をより短くすることが可能である。従って、本発明の画像読取装置は薄型化を図るのに適した構成を備えている。
【０００８】
好ましい実施の形態においては、上記第２のイメージセンサモジュールは、上記第２の読取対象面に対して傾斜する第２の設置面を有する第２の基板と、上記第２の基板を収容する第２のケースと、上記第２の設置面に設置された第２の受光手段と、上記第２の受光手段に上記第２の読取対象面からの光を導く第２のレンズ部材と、を備えている。
【０００９】
好ましい実施の形態においては、上記第１のケースは、主走査方向と直交し、かつ、副走査方向に対して傾斜する第１の方向における一方側ほど、主走査方向および上記第１の方向と直交する第２の方向における長さ寸法が短くなるように形成されており、上記第２のケースは、上記第１の方向における他方側ほど上記第２の方向における長さ寸法が短くなるように形成されており、上記第１の方向視において、上記第１のケースと上記第２のケースとが重なるように配置されている。
【００１０】
好ましい実施の形態においては、上記第１のケースは、副走査方向における一方側ほど、主走査方向および副走査方向と直交する方向における長さ寸法が短くなるように形成されており、上記第１のイメージセンサモジュールは、副走査方向において上記第１のレンズ部材よりも一方側に配置された第１の線状光源を備えており、上記第２のケースは、副走査方向における他方側ほど、主走査方向および副走査方向と直交する方向における長さ寸法が短くなるように形成されており、上記第２のイメージセンサモジュールは、副走査方向において上記第２のレンズ部材よりも他方側に配置された第２の線状光源を備えている。
【００１１】
好ましい実施の形態においては、上記第１のイメージセンサモジュールは、上記第１の線状光源が出射する光を透過する第１の透明カバーを有しており、上記第２のイメージセンサモジュールは、上記第２の線状光源が出射する光を透過する第２の透明カバーを有しており、上記第１の透明カバーは、上記第１の読取対象面に沿う第１の側面を有しており、上記第２の透明カバーは、上記第２の読取対象面に沿う第２の側面を有している。
【００１２】
好ましい実施の形態においては、上記第１の透明カバーは、上記第１のケースの主走査方向および副走査方向と直交する方向における一方の端部に形成された第１のカバー嵌合部に嵌め込まれており、上記第２の透明カバーは、上記第２のケースの主走査方向および副走査方向と直交する方向における他方の端部に形成された第２のカバー嵌合部に嵌め込まれている。
【００１３】
好ましい実施の形態においては、上記第１の側面は、主走査方向および副走査方向と直交する方向視において、上記第２のレンズ部材と重なっており、上記第２の側面は、主走査方向および副走査方向と直交する方向視において、上記第１のレンズ部材と重なっている。
【００１４】
好ましい実施の形態においては、上記第１の透明カバーは、副走査方向において上記第１の側面から遠ざかるにつれて、主走査方向および副走査方向と直交する方向において第１の読取対象面から遠ざかるように上記第１の側面に対して傾斜している側面を有している。
【００１５】
好ましい実施の形態においては、上記第１の透明カバーは、上記第１の線状光源から上記第２のレンズ部材に向かう光を遮断する遮光部材を備えている。
【００１６】
好ましい実施の形態においては、上記第２の透明カバーは、上記第２の線状光源から上記第１のレンズ部材に向かう光を遮断する遮光部材を備えている。
【００１７】
好ましい実施の形態においては、上記第２の設置面が上記第１の設置面と平行となるように、上記第１の基板および上記第２の基板は配置されている。
【００１８】
好ましい実施の形態においては、上記第１の設置面および上記第２の設置面が上記第２の方向に対して垂直である。
【００１９】
好ましい実施の形態においては、上記第１のケースは、上記第２の方向における一方側の端部に上記第２の方向に凹む第１の凹部を有しており、上記第１の基板は上記第１の凹部に嵌め込まれており、上記第２のケースは、上記第２の方向における他方側の端部に上記第２の方向に凹む第２の凹部を有しており、上記第２の基板は上記第２の凹部に嵌め込まれている。
【００２０】
好ましい実施の形態においては、上記第１のケースは、上記第１の凹部に通じる第１の開口部を有しており、上記第１のレンズ部材は、主走査方向および副走査方向と直交する方向に沿う光軸を有しており、主走査方向および副走査方向と直交する方向における第１の読取対象面から遠い方の端部は上記第１の開口部に臨んでいる。
【００２１】
好ましい実施の形態においては、上記第１の受光手段は、上記第１の設置面のうち上記第１の開口部に臨む部分に設置されている。
【００２２】
好ましい実施の形態においては、上記第１の開口部は、上記第２の方向視において主走査方向に長く延びる長矩形状である。
【００２３】
好ましい実施の形態においては、上記第１の受光手段は、上記光軸と上記第１の設置面とが交差する位置よりも上記第１の方向における一方側に設置されている。
【００２４】
好ましい実施の形態においては、上記第１のケースは、上記第１の凹部に通じ、かつ、上記第１の開口部よりも上記第１の方向における一方側に位置する第２の開口部を有しており、上記第１の線状光源は、主走査方向に長く延びる第１の光出射面を有する第１の導光体と、上記第１の光出射面を露出させるように上記第１の導光体を覆う第１のリフレクタと、上記第１の導光体に光を供給する第１の光源手段と、を備えており、上記第１の光源手段は上記第２の開口部に収容されており、かつ、上記第１の基板に連結されている。
【００２５】
好ましい一例では、上記第２の開口部が主走査方向に長く延びる溝状の部分を有しており、この溝状の部分から上記第１のリフレクタが露出している。
【００２６】
別の好ましい一例では、上記第１の基板が、上記第２の方向視においてＬ字状に形成されており、上記第１の凹部が、上記第１の基板が嵌合する上記第２の方向視Ｌ字状に形成されている。
【００２７】
さらに別の好ましい一例では、上記第１の基板に上記第２の方向に貫通する貫通孔が形成されており、上記第１のケースは、上記貫通孔に嵌合する突起部を有しており、上記貫通孔は、上記第１の方向において上記第１の受光手段よりも一方側に位置し、上記突起部は、上記第２の方向視において上記第１のリフレクタと重なっている。
【００２８】
別の好ましい実施の形態においては、上記第１の設置面および上記第２の設置面が上記第１の方向に対して垂直である
【００２９】
本発明のその他の特徴および利点は、添付図面を参照して以下に行う詳細な説明によって、より明らかとなろう。
【図面の簡単な説明】
【００３０】
【図１】本発明の第１実施形態に基づく画像読取装置を示す断面図である。
【図２】図１に示す画像読取装置の要部断面図である。
【図３】図１に示すイメージセンサモジュールの斜視図である。
【図４】図１に示すケースの下面図である。
【図５】図１に示すイメージセンサモジュールの下面図である。
【図６】図１に示すイメージセンサモジュールの拡大図である。
【図７】本発明の第２実施形態に基づく画像読取装置の要部断面図である。
【図８】図７に示すイメージセンサモジュールの下面図である。
【図９】図７に示す基板の製造方法の一例を示す図である。
【図１０】本発明の第３実施形態に基づく画像読取装置の要部断面図である。
【図１１】図１０に示すイメージセンサモジュールの下面図である。
【図１２】図１１のＸＩＩ−ＸＩＩ線に沿う断面図である。
【図１３】図１１のＸＩＩＩ−ＸＩＩＩ線に沿う断面図である。
【図１４】本発明の第４実施形態に基づく画像読取装置の要部断面図である。
【図１５】従来の画像読取装置の一例を示す要部断面図である。
【発明を実施するための形態】
【００３１】
以下、本発明の好ましい実施の形態につき、図面を参照して具体的に説明する。
【００３２】
図１は、本発明に基づく画像読取装置の一例を示している。図１に示す画像読取装置Ａ１は、たとえば両面読取可能に構成されたスキャナ装置であって、１対のイメージセンサモジュール１０１Ａ，１０１Ｂと、搬送手段７と、これらを収容する筐体８とを備えている。図２には、画像読取装置Ａ１の要部を示しており、筐体８を省略している。図３には、イメージセンサ１０１Ａの概略斜視図を示している。
【００３３】
図３に示すように、イメージセンサモジュール１０１Ａはｘ方向（主走査方向）に沿って長く延びるように形成されている。このようなイメージセンサモジュール１０１Ａを収容する筐体８もｘ方向に長く延びるように形成されている。図１および図２に示すｙ，ｚ方向は、互いに直交し、かつ、ｘ方向と直交する方向である。ｚ方向は筐体８の厚み方向に相当している。ｙ方向は本発明の請求項における第１の方向に相当し、ｚ方向は本発明の請求項における第２の方向に相当する。
【００３４】
搬送手段７は、たとえば、図示しないモータによって回転させられる複数のローラによって構成されている。搬送手段７は筐体８の内部に設置されている。
【００３５】
筐体８は、図１に示すように、ｚ方向に離間する下板部８１および上板部８２と、ｙ方向に離間する右板部８３および左板部８４とを有している。下板部８１および上板部８２は、ｚ方向に一定の厚みを有し、ｙ方向に一定の幅を有するように形成されている。下板部８１、上板部８２、右板部８３、および左板部８４に囲まれた空間にイメージセンサモジュール１０１Ａ、イメージセンサモジュール１０１Ｂ、および、搬送手段７は収容されている。この収容空間は、図１に示す断面において、ｙ方向を長辺とする略矩形状である。
【００３６】
さらに、筐体８は、読取対象物Ｄｃを取り込む給紙口８５と、読取対象物Ｄｃを排出する排出口８６とを備えている。図１に示すように、給紙口８５は筐体８の図中右上に配置され、排出口８６は図中左下に配置されている。給紙口８５から筐体８内に取り込まれた読取対象物Ｄｃは、イメージセンサモジュール１０１Ａおよび１０１Ｂに挟まれた空間を通って排出口８６から筐体８外へ送り出されている。給紙口８５にはたとえば複数枚の読取対象物Ｄｃを設置可能なトレイ８７が設置されており、筐体８の内部には連続的に読取対象物Ｄｃが送り込まれる。
【００３７】
画像読取装置Ａ１では、たとえば両面印刷された紙である読取対象物Ｄｃが搬送手段７によって、ｘ方向と直交するＹ方向に沿って搬送される。この方向Ｙは画像読取装置Ａ１の副走査方向に相当する。図１〜図３に示すように、Ｙ方向はｙ方向に対して傾斜している。Ｙ方向とｙ方向が成す角は、たとえば４５°である。図に示すように、Ｙ方向は、図中右上にある給紙口８５から図中左下にある排出口８６へ読取対象物Ｄｃを搬送する上で合理的な方向となっている。図１〜図３に示すＺ方向は、Ｙ方向と直交する方向である。
【００３８】
イメージセンサモジュール１０１Ａは、読取対象物Ｄｃの一方の読取対象面Ｄｃ１を読み取るように筐体８内に配置されている。イメージセンサモジュール１０１Ｂは、読取対象物Ｄｃの読取対象面Ｄｃ１の反対側に位置する読取対象面Ｄｃ２を読み取るように配置されている。
【００３９】
イメージセンサモジュール１０１Ａは、ケース１Ａ、透明カバー２Ａ、線状光源３Ａ、レンズ部材４Ａ、基板５Ａ、および、受光手段６Ａを備えている。ケース１Ａは、透明カバー２Ａ、線状光源３Ａ、レンズ部材４Ａ、基板５Ａ、および、受光手段６Ａを収容している。図４には、ケース１Ａを図２中下方から見た図を示している。図５には、イメージセンサモジュール１０１Ａを図２中下方から見た図を示している。図６には、イメージセンサモジュール１０１Ａの拡大断面図を示している。
【００４０】
ケース１Ａは、たとえば黒色に染色されたエポキシ樹脂によって形成される。図３に示すように、ケース１Ａは、ｘ方向に長く延びるように形成されている。ケース１Ａはｘ方向における両端部に、Ｚ方向に対して垂直な側面１１Ａを有している。この側面１１Ａは、読取対象面Ｄｃ１に沿う平面であり、Ｙ方向に搬送する読取対象物Ｄｃの進行を妨げることはない。ケース１Ａは、ｘ方向における両端部を除く略全長に渡って、図６に示す断面を有している。図６に示すように、ケース１Ａは、ｙ方向における図中左側ほど、ｚ方向における長さ寸法が短くなるように形成されている。また、同時に、Ｙ方向における図６中左下側ほど、Ｚ方向における長さ寸法が短くなるようにも形成されている。
【００４１】
図３および図６に示すように、ケース１ＡのＺ方向における読取対象面Ｄｃ１に近い方の端部にはカバー嵌合部１２Ａが形成されている。カバー嵌合部１２ＡのＹ方向における図６中右上側には、ｘ方向に長く延びる帯状の支持面１２１Ａおよび支持面１２２Ａが形成されている。また、カバー嵌合部１２ＡのＹ方向における図６中左下側には、ｘ方向に長く延びる帯状の支持面１２３Ａ、１２４Ａが形成されている。カバー嵌合部１２Ａのｘ方向における両端部には、ｘ方向に対して垂直な支持面１２５Ａが形成されている。支持面１２１Ａおよび支持面１２３Ａは、Ｙ方向に対して垂直な平面となっている。支持面１２２Ａおよび支持面１２４Ａは、Ｚ方向に対して垂直な平面となっており、Ｚ方向において側面１１Ａよりも読取対象面Ｄｃ１から遠い位置に配置されている。
【００４２】
ケース１Ａは、ｚ方向における図６中上端部にｚ方向に垂直な側面１３Ａを有している。この側面１３Ａは読取対象面Ｄｃ１に対しては、たとえば４５°傾斜する面である。図３に示すように、この側面１３Ａは、ｘ方向における両端部において側面１１Ａに連結されている。側面１３Ａの側面１１Ａと連結されていない部分は、カバー嵌合部１２Ａと隣接する帯状に形成されている。さらに、ケース１Ａは、Ｙ方向においてカバー嵌合部１２Ａを間に挟んだ側面１３Ａの反対側に、側面１４Ａを有している。この側面１４Ａのｘ方向における両端部は側面１１Ａに連結されている。側面１４Ａの側面１１Ａと連結されていない部分はカバー嵌合部１２Ａと隣接する帯状に形成されている。
【００４３】
ケース１Ａは、側面１３Ａのｙ方向における図６中右端縁に連結された側面１５Ａを有している。側面１５Ａは、ｘ方向に長く延びる帯状に形成されている。本実施形態では、側面１５Ａは、たとえばＺ方向に沿う平面となっている。
【００４４】
ケース１Ａは、側面１５Ａのｚ方向における図６中下端縁と連結された側面１６Ａを有している。側面１６Ａは、ｘ方向に長く延びる帯状であり、かつ、ｙ方向に対して垂直となるように形成されている。
【００４５】
ケース１Ａは、ｚ方向における図６中下端部にｘ方向およびｙ方向を含む側面１７Ａを有している。この側面１７Ａは、ｚ方向に対して垂直な面となっており、読取対象面Ｄｃ１に対しては、たとえば４５°傾斜する面である。図４および図５に示すように、側面１７Ａには、ｘ方向における略全長に渡って凹部１８Ａが設けられている。図６に示すように、凹部１８Ａはｚ方向に凹むように形成されている。さらに、ケース１Ａには、凹部１８Ａに臨む、開口部１８１Ａおよび開口部１８２Ａが設けられている。開口部１８１Ａは、図４に示すように、ｚ方向視においてｘ方向に長く延びる長矩形状であり、凹部１８Ａのｘ方向における略全長に渡って形成されている。開口部１８１Ａは、凹部１８Ａのｙ方向における図６中右端側の端縁付近に形成されている。開口部１８２Ａは、図４に示すように、ｘ方向における図４中右端部に配置されたｚ方向視略矩形状の開口部と、ｘ方向に長く延びる溝状の開口部とが組み合わされたものである。溝状の開口部のｙ方向における寸法は、矩形状の部分のｙ方向における寸法よりも短くなっている。開口部１８２Ａは、開口部１８１Ａよりもｙ方向において図６中左側に位置している。
【００４６】
透明カバー２Ａは、たとえばアクリル樹脂製であり、線状光源３Ａが出射する光を透過するように形成されている。透明カバー２Ａは、図３に示すように、ｘ方向に長く延びる板状に形成されている。図６に示すように、透明カバー２Ａは、Ｙ方向に沿う長辺とＺ方向に沿う短辺を有する長方形と、Ｙ方向に沿う一対の対辺を有する台形とを組み合わせた断面を有している。透明カバー２Ａは、Ｚ方向において読取対象面Ｄｃ１により近い側に側面２１Ａを、Ｚ方向において読取対象面Ｄｃ１からより遠い側に側面２２Ａを有している。これらの側面２１Ａおよび側面２２Ａは、Ｚ方向に対して垂直な面であり、読取対象面Ｄｃ１に沿う平面となっている。側面２１Ａは、前述した断面において台形の上底として表れている。側面２２Ａは、前述した断面において長方形の長辺として表れている。さらに、透明カバー２Ａは、側面２１Ａのｚ方向における図６中上端縁に連結される側面２３Ａと、側面２１Ａのｚ方向における図６中下端縁に連結される側面２４Ａとを有している。側面２３Ａおよび側面２４Ａは、前述した断面において台形の上底と下底とを繋ぐ辺として表れている。図６に示すように、側面２３Ａは、ｚ方向に垂直な面であり、Ｙ方向において側面２１Ａから遠ざかるにつれてＺ方向において読取対象面Ｄｃ１から遠ざかるように側面２１Ａに対して傾斜している。側面２４Ａは、Ｙ方向において側面２１Ａから遠ざかるにつれてＺ方向において読取対象面Ｄｃ１から遠ざかるように側面２１Ａに対して傾斜している。またさらに、透明カバー２Ａは、側面２３Ａのｙ方向における図６中右端縁に連結された側面２２１Ａと、側面２４Ａのｚ方向における図６中下端縁に連結された側面２２３Ａとを有している。側面２２１Ａおよび側面２２３Ａは、前述した断面において長方形の短辺として表れている。側面２２１Ａおよび側面２２３Ａは、Ｙ方向に対して垂直な面となっている。
【００４７】
図３および図６に示すように、透明カバー２Ａは、ケース１Ａのカバー嵌合部１２Ａに嵌め込まれている。透明カバー２Ａのｘ方向における端面は支持面１２５に当接している。透明カバー２Ａの側面２２ＡのＹ方向における両端縁は、カバー嵌合部１２Ａの支持面１２２Ａおよび支持面１２４Ａに当接している。透明カバー２Ａの側面２２１Ａは、カバー嵌合部１２Ａの支持面１２１Ａに当接している。透明カバー２Ａの側面２２３Ａは、カバー嵌合部１２Ａの支持面１２３Ａに当接している。図３に示すように、透明カバー２Ａの側面２１Ａは、ケース１Ａの側面１１Ａと面一となっている。さらに、側面２３Ａは側面１３Ａと面一になっており、側面２４Ａは側面１４Ａと面一になっている。すなわち、透明カバー２Ａは、ケース１Ａから出っ張らないようになっている。
【００４８】
さらに、透明カバー２Ａは、側面２２Ａの一部を覆う遮光部材２５Ａを備えている。図６に示すように、遮光部材２５Ａは、支持面１２２Ａおよび支持面１２４Ａと当接せず、かつ、Ｚ方向視においてレンズ部材４Ａと重ならない領域に設けられている。遮光部材２５Ａは、線状光源３Ａが出射する光を透過させない樹脂によって形成されている。なお、簡略化のために図３では遮光部材２５Ａを省略している。
【００４９】
線状光源３Ａは、図３に示すように、光源手段３１Ａ、導光体３２Ａ、および、リフレクタ３３Ａを備えている。光源手段３１Ａは、たとえば複数のＬＥＤチップを内蔵したＬＥＤモジュールであり、導光体３２Ａに光を供給する。図５に示すように、この光源手段３１Ａは、ケース１Ａの開口部１８２Ａのｘ方向における図中右端の矩形状の開口部に収容される。光源手段３１Ａに内蔵される複数のＬＥＤチップは、それぞれｘ方向に向けて光を出射するように配置される。導光体３２Ａは、たとえばアクリル樹脂製であり、ｘ方向に長く延びる棒状に形成されている。図６に示すように、導光体３２Ａは、ｘ方向視において略矩形状の断面を有している。導光体３２Ａの断面はｙ方向に沿う短辺とｚ方向に沿う長辺とを有している。なお、より正確には、導光体３２Ａの断面は、ｚ方向における図６中下端の角がカットされた形状となっている。リフレクタ３３Ａは、たとえば白色樹脂により形成されており、導光体３２Ａのｘ方向における一方の端部およびｚ方向における図６中上端部を露出させるように導光体３２Ａを覆っている。導光体３２Ａのｘ方向における一方の端部は、光源手段３１Ａからの光を導光体３２Ａの内部に取り込むのに用いられる。導光体３２Ａ内に取り込まれた光は、導光体３２Ａを覆うリフレクタ３３Ａによって反射されながら、ｘ方向に沿って進行する。ｘ方向に沿って進行する光のうち一部は、導光体３２Ａのｚ方向における図６中上端部に到達し、導光体３２Ａの外部へと出射されていく。導光体３２Ａの図６中上端部が、導光体３２Ａの光出射面３２１Ａとなり、導光体３２Ａはｘ方向に長く延びる光出射面３２１Ａを有していることになる。図６に示すように、光出射面３２１Ａは、ｚ方向に垂直な面となっており、導光体３２Ａから出射される光は、概ねｚ方向に沿って進行する。導光体３２Ａは、ｘ方向に長く形成されているため、導光体３２Ａから出射される光もｘ方向に長く延びる線状光となる。この線状光が読取対象面Ｄｃ１を照明する。
【００５０】
本実施形態では、図６に示すように、前述の遮光部材２５Ａが、読取対象面Ｄｃ１を照明するための線状光を遮らないように、Ｚ方向視において光出射面３２１Ａと重ならないように形成されている。
【００５１】
本実施形態では、図６に示すように、開口部１８２Ａの溝状の部分にリフレクタ３３Ａのｚ方向における下端部が臨んでおり、この部分から、リフレクタ３３Ａのｚ方向における下端部がケース１Ａの外部に露出している。この構成は、ケース１Ａのｚ方向における厚み寸法を小さくする上で望ましい構成である。
【００５２】
レンズ部材４Ａは、レンズアレイ４１Ａと、レンズアレイ４１Ａを保持する樹脂製のレンズホルダ４２Ａとを備えている。レンズアレイ４１Ａは、たとえば、ｘ方向に沿って配列された複数のロッドレンズからなる。レンズアレイ４１Ａは、読取対象面Ｄｃ１の線状光源３Ａが照明する領域からの光を受光手段６Ａに導き、受光手段６Ａのｚ方向における図６中上端部に読取対象の正立等倍の像を結ぶ。図６には、レンズ部材４Ａの光軸ＬＺを二点鎖線で示している。レンズ部材４Ａは、光軸ＬＺがＺ方向に沿うようにケース１Ａに固定されている。レンズ部材４ＡのＺ方向における読取対象面Ｄｃ１から遠い方の端部は、開口部１８１Ａに臨んでおり、レンズ部材４Ａを通過した光は開口部１８１Ａ内の空間を通って受光手段６Ａに到達する。
【００５３】
図６に示すように、レンズ部材４Ａは、線状光源３ＡよりもＹ方向における右上側に配置されている。
【００５４】
基板５Ａは、ｘ方向に長く延びるｚ方向に対して垂直な設置面５１Ａを有している。この設置面５１Ａは、ｙ方向における図６中左側ほど、ｚ方向において読取対象面Ｄｃ１に近づくように、読取対象面Ｄｃ１に対して傾斜している。基板５Ａは、図６に示すように、設置面５１Ａが開口部１８１Ａに臨むように、凹部１８Ａに嵌め込まれて固定されている。設置面５１Ａの開口部１８１Ａに臨む部分に、受光手段６Ａが設置されている。
【００５５】
前述した光源手段３１Ａは、基板５Ａに連結されている。このため、たとえば、ｚ方向視において光源手段３１Ａと基板５Ａとが重なるようになっている。基板５Ａには、光源手段３１Ａおよび受光手段６Ａに接続される図示しない配線パターンが形成されている。
【００５６】
受光手段６Ａは、ｘ方向に沿って一列に配列された複数の光電変換素子により構成されており、受光した光に応じた信号を出力する。光電変換素子としては、たとえばＣＭＯＳセンサチップが用いられる。受光手段６Ａは、図６に示す断面において、光軸ＬＺと設置面５１Ａとが交差する位置５１１Ａよりも、ｙ方向における図中左方側に設置されている。
【００５７】
イメージセンサモジュール１０１Ｂは、イメージセンサモジュール１０１Ａと同一のものを、ｘ方向に沿う軸線を中心にして１８０度回転させて、読取対象面Ｄｃ２を読み取るように設置したものである。このため、イメージセンサモジュール１０１Ｂの各部の符号はイメージセンサモジュール１０１Ａの各部の符号におけるＡをＢに置き換えたものとし、適宜説明を省略する。
【００５８】
イメージセンサモジュール１０１Ｂは、ケース１Ｂ、透明カバー２Ｂ、線状光源３Ｂ、レンズ部材４Ｂ、基板５Ｂ、および、受光手段６Ｂを備えている。ケース１Ｂは、透明カバー２Ｂ、線状光源３Ｂ、レンズ部材４Ｂ、基板５Ｂ、および、受光手段６Ｂを収容している。
【００５９】
ケース１Ｂは、図２に示すように、ｙ方向における図中右側ほどｚ方向における長さ寸法が短くなるように形成されている。同時に、ケース１Ｂは、Ｙ方向における図２中右上側ほどＺ方向における長さ寸法が短くなるように形成されている。図２に示すように、ケース１Ｂは、ｙ方向視においてケース１Ａと重なる位置に配置されている。ケース１ＢのＺ方向における読取対象面Ｄｃ２に近い方の端部にはカバー嵌合部１２Ｂが形成されている。このカバー嵌合部１２Ｂに透明カバー２Ｂが嵌め込まれている。
【００６０】
ケース１Ｂは、図２中下端部にｚ方向に垂直な側面１３Ｂを有している。この側面１３Ｂは読取対象面Ｄｃ２に対しては、たとえば４５°傾斜する面である。さらに、ケース１Ｂは、Ｙ方向においてカバー嵌合部１２Ｂを間に挟んだ側面１３Ｂの反対側に、側面１４Ｂを有している。図２に示すように、側面１３Ｂは、Ｚ方向視において側面１４Ａと重なる位置に、側面１４ＢはＺ方向視において側面１３Ａと重なる位置にある。
【００６１】
ケース１Ｂは、側面１３Ｂのｙ方向における図２中左端縁に連結された側面１５Ｂを有している。本実施形態では、側面１５Ｂは、たとえばＺ方向に沿う平面となっており、側面１５Ａと平行な面となっている。
【００６２】
ケース１Ｂは、側面１５Ｂのｚ方向における図２中上端縁と連結された側面１６Ｂを有している。側面１６Ｂはｙ方向に対して垂直となるように形成されており、側面１６Ａと平行な面となっている。
【００６３】
ケース１Ｂは、ｚ方向における図２中上端部にｚ方向に垂直な側面１７Ｂを有している。この側面１７Ｂは、読取対象面Ｄｃ２に対しては、たとえば４５°傾斜する面である。側面１７Ｂには、ｚ方向に凹む凹部１８Ｂが形成されている。さらに、凹部１８Ｂには、開口部１８１Ｂおよび開口部１８２Ｂが形成されている。
【００６４】
図２に示すように、透明カバー２Ｂの側面２１ＢのＹ方向における両端の位置が、透明カバー２Ａの側面２１ＡのＹ方向における両端の位置と一致するように、イメージセンサモジュール１０１Ｂの位置は設定されている。透明カバー２Ｂの側面２１ＢのＹ方向における図２中右上の部分は、Ｚ方向視においてレンズ部材４Ａと重なっている。また、逆に、透明カバー２Ａの側面２１ＡのＹ方向における図２中左下の部分は、Ｚ方向視においてレンズ部材４Ｂと重なっている。
【００６５】
線状光源３Ｂは、図示しない光源手段、導光体３２Ｂ、および、リフレクタ３３Ｂを備えている。図示しない光源手段は、光源手段３１Ａと同一のものである。リフレクタ３３Ｂは、導光体３２Ｂのｚ方向における下端部を露出させるように、導光体３２Ｂを覆っている。導光体３２Ｂのｚ方向における下端部が光出射面３２１Ｂとして機能する。導光体３２Ｂは光出射面３２１Ｂを有していることになる。光出射面３２１Ｂから出射される線状光が、読取対象面Ｄｃ２を照明する。
【００６６】
レンズ部材４Ｂは、レンズアレイ４１Ｂと、レンズアレイ４１Ｂを保持する樹脂製のレンズホルダ４２Ｂとを備えている。レンズアレイ４１Ｂは、たとえば、ｘ方向に沿って配列された複数のロッドレンズからなる。レンズアレイ４１Ｂは、読取対象面Ｄｃ２からの光を受光手段６Ｂに導き、受光手段６Ｂのｚ方向における図２中下端部に読取対象の正立等倍の像を結ぶ。レンズ部材４Ｂの光軸はＺ方向に沿っている。レンズ部材４ＢのＺ方向における読取対象面Ｄｃ２から遠い方の端部は、開口部１８１Ｂに臨んでおり、レンズ部材４Ｂを通過した光は開口部１８１Ｂ内の空間を通って受光手段６Ｂに到達する。
【００６７】
基板５Ｂは、ｘ方向に長く延び、ｚ方向に対して垂直な設置面５１Ｂを有している。この設置面５１Ｂは、ｙ方向における図２中左側ほど、ｚ方向において読取対象面Ｄｃ２から遠ざかるように、読取対象面Ｄｃ２に対して傾斜している。設置面５１Ｂは、設置面５１Ａに対して平行となっている。この基板５Ｂは、図２に示すように、設置面５１Ｂが開口部１８１Ｂに臨むように、凹部１８Ｂに嵌め込まれて固定されている。設置面５１Ｂの開口部１８１Ｂに臨む部分に、受光手段６Ｂが設置されている。
【００６８】
受光手段６Ｂは、レンズ部材４Ｂの光軸と設置面５１Ｂとが交差する位置よりも、ｙ方向における図２中右方に設置されている。
【００６９】
本実施形態では、図２に示すように、透明カバー２Ｂの側面２２Ｂに遮光部材２５Ｂが形成されている。遮光部材２５Ｂは、Ｚ方向視においてレンズ部材４Ｂおよび光出射面３２１Ｂと重ならないように形成されている。
【００７０】
図２に示すように、遮光部材２５ＡのＹ方向における図中右上の端縁は、光出射面３２１Ａとレンズ部材４Ｂとを結ぶ線（図中一点鎖線）と側面２２Ａとの交差点よりも、Ｙ方向における右上側に位置している。また、遮光部材２５ＢのＹ方向における図中左下の端縁は、光出射面３２１Ｂとレンズ部材４Ａとを結ぶ線（図中一点鎖線）と側面２２Ｂとの交差点よりも、Ｙ方向における左下側に位置している。このような位置関係とすることにより、遮光部材２５Ａは、線状光源３Ａからレンズ部材４Ｂに向かう光を好ましく遮断することができ、遮光部材２５Ｂは、線状光源３Ｂからレンズ部材４Ａに向かう光を好ましく遮断することができる。このことは、レンズ部材４Ａ，４Ｂに各々に読取対象面Ｄｃ１，Ｄｃ２以外からの光が入射するのを減らし、受光手段６Ａ，６Ｂに意図しない光が入射するのを防ぎやすくする。
【００７１】
次に、画像読取装置Ａ１の作用について説明する。
【００７２】
上述したように、画像読取装置Ａ１では、読取対象物Ｄｃを間に挟むように配置された１対のイメージセンサモジュール１０１Ａ，１０１Ｂによって、読取対象物Ｄｃの両面を読み取るように構成されている。このような画像読取装置Ａ１において、円滑な読み取りを実施するには、読取対象物Ｄｃを副走査方向（Ｙ方向）に沿って滞りなく搬送する必要がある。すなわち、読取対象物ＤｃをＹ方向に沿って真っ直ぐ進ませるのが望ましい構成であり、Ｙ方向視においてイメージセンサモジュール１０１Ａとイメージセンサモジュール１０１Ｂとが重なることなく、両者の間に一定の間隔が保たれる構造にしなければならない。この構造によれば、Ｙ方向と直交するＺ方向において、イメージセンサモジュール１０１Ａ，１０１Ｂを並列させることになり、筐体８にそれだけ分の収容空間を持たせる必要がある。
【００７３】
図１に示すように、筐体８の収容空間の断面はｙ方向を長辺とする略長矩形状となっている。本実施形態では、上述したように、ｙ方向はＹ方向に対して４５°傾斜する方向である。Ｙ方向と直交するＺ方向もｙ方向およびｚ方向に対して４５°傾斜している。このような配置によれば、ｙ方向とＹ方向とが一致する場合と比較して、同一のＺ方向寸法を確保するのに必要なｚ方向における寸法は小さくなる。本実施形態では図１に示すように、ｙ方向視において、イメージセンサモジュール１０１Ａとイメージセンサモジュール１０１Ｂとが重なっている。このため、イメージセンサモジュール１０１Ａおよびイメージセンサモジュール１０１Ｂを収容するために必要な収容空間のｚ方向寸法は、イメージセンサモジュール１０１Ａのｚ方向寸法を２倍したものより大幅に短くなっている。従って、画像読取装置Ａ１では、筐体８のｚ方向寸法を短くし、薄型化を図ることができる。
【００７４】
本実施形態において、ケース１Ａは、ｙ方向における図２中右側ではｚ方向寸法が比較的長く、ｙ方向における図２中左側ではｚ方向寸法が比較的短くなるように形成されている。ケース１Ｂは、ケース１Ａを１８０°回転させたものであるため、ｙ方向における図２中左側ではｚ方向寸法が比較的長く、ｙ方向における図２中右側ではｚ方向寸法が比較的短くなっている。図１および図２に示すように、ケース１Ａのｚ方向寸法が比較的長い部分とケース１Ｂのｚ方向寸法が比較的短い部分とが、ｚ方向に並ぶように配置されている。このような配置は、ケース１Ａ，１Ｂを合わせたｚ方向における長さ寸法を小さくする上で好ましい配置である。本実施形態では、イメージセンサモジュール１０１Ａの各構成要素はケース１Ａに、イメージセンサモジュール１０１Ｂの各構成要素はケース１Ｂに収容されているため、ケース１Ａ，１Ｂの薄型化はイメージセンサモジュール１０１Ａ，１０１Ｂの薄型化と同義である。イメージセンサモジュール１０１Ａ，１０１Ｂを薄型化することにより筐体８の薄型化を図ることが可能となり、画像読取装置Ａ１の薄型化が実現される。
【００７５】
本実施形態では、レンズ部材４Ａが、線状光源３ＡよりもＹ方向における右上側に配置されている。ケース１ＡのＹ方向における右上側は、Ｚ方向寸法が比較的長くなっている。レンズ部材４Ａによって読取対象面Ｄｃ１からの光を受光手段６Ａに適切に結像させるためには、読取対象物Ｄｃ、レンズ部材４Ａ、および、受光手段６ＡをＺ方向に沿って適切な距離だけ離して設置する必要がある。このため、レンズ部材４Ａをケース１ＡのＺ方向寸法が比較的長い部位に設置するのは合理的な構成である。
【００７６】
本実施形態では、Ｚ方向視においてレンズ部材４Ａと重なる位置まで透明カバー２Ｂが設けられており、Ｚ方向視においてレンズ部材４Ｂと重なる位置まで透明カバー２Ａが設けられている。このため、Ｚ方向視においてレンズ部材４Ａ，４Ｂと重なる位置において、読取対象物Ｄｃは、透明カバー２Ａ，２Ｂの側面２１Ａ，２１ＢによってＺ方向に挟まれている。このことは、各イメージセンサモジュール１０１Ａ，１０１Ｂの読取対象位置において読取対象物Ｄｃが不当に浮き上がることを防止する上で望ましい構成である。
【００７７】
図６に示すように、本実施形態におけるケース１Ａのｚ方向における下端は、側面１７Ａによって規定されている。側面１７Ａは、ｚ方向に対して垂直な面である。この構成は、ケース１Ａのｚ方向寸法を抑える上で合理的なものである。また、ケース１Ｂのｚ方向における上端は、側面１７Ｂによって規定されている。側面１７Ｂは、ｚ方向に対して垂直な面であり、ケース１Ｂのｚ方向寸法を抑えることができる。
【００７８】
本実施形態では、基板５Ａ，５Ｂが、設置面５１Ａ，５１Ｂがｚ方向に対して垂直な面となるように、ケース１Ａ，１Ｂに収容されている。このような構成もケース１Ａ，１Ｂのｚ方向寸法を抑える上で合理的な構成である。
【００７９】
またさらに、ケース１Ａのｙ方向における図２中右端は側面１６Ａによって規定され、ケース１Ｂのｙ方向における図２中左端は側面１６Ｂによって規定されている。側面１６Ａ，１６Ｂはｙ方向に対して垂直な面であり、ケース１Ａ，１Ｂのｙ方向寸法を抑える上で合理的な構成となっている。
【００８０】
本実施形態では、読取対象物Ｄｃは、透明カバー２Ａの側面２１Ａおよび透明カバー２Ｂの側面２１Ｂに沿って移動する。本実施形態では、ケース１Ａの側面１１Ａは側面２１Ａと面一な面となっており、読取対象物Ｄｃが引っ掛かりにくくなっている。また、図には表れていないが、ケース１Ａと同一であるケース１ＢのＺ方向において読取対象面Ｄｃ２に最も近い面は側面２１Ｂと面一な面であり、前述したのと同様の効果を発揮する。
【００８１】
本実施形態における透明カバー２Ａは、側面２１ＡのＹ方向における両端に側面２３Ａおよび側面２４Ａを有している。側面２３Ａおよび側面２４Ａは、いずれもＹ方向において側面２１Ａから遠ざかるにつれてＺ方向において読取対象面Ｄｃ１から遠ざかるように側面２１Ａに対して傾斜している。このため、透明カバー２ＡのＹ方向における両端縁とケース１Ａとの境界は、Ｚ方向において読取対象面Ｄｃ１からある程度離れた位置にある。このことは、透明カバー２Ａ，２ＢのＹ方向における両端縁とケース１Ａ，１Ｂとの境界に隙間ができた場合にＹ方向に搬送される読取対象物Ｄｃがその隙間に引っ掛かる問題が生じるのを予防する上で望ましい。
【００８２】
本実施形態では、レンズ部材４Ａの光軸ＬＺは設置面５１Ａに対しては傾斜しており、読取対象面Ｄｃ１からの光は、設置面５１Ａに斜めに入射することになる。このため、図６に示す断面において、位置５１１Ａよりも図中右方側においては、レンズ部材４Ａからの光が拡散しやすくなっている。図６に示すように、受光手段６Ａは、図６に示す断面において、光軸ＬＺと設置面５１Ａとが交差する位置５１１Ａよりも、ｙ方向における図中左方側に設置されており、レンズ部材４Ａからの光が拡散しにくい位置で受光している。このことは、画像読取装置Ａ１の画質の向上を図る上で望ましい構成である。
【００８３】
本実施形態では、ｚ方向における上方に配置された給紙トレイ８７から給紙口８５に読取対象物Ｄｃが供給され、読取対象物Ｄｃは搬送手段７によってｚ方向における下方に搬送されていく。ｚ方向を重力方向に沿わせ、下板部８１を重力方向における下方に配置するときに、読取対象物Ｄｃにかかる重力により、読取対象物Ｄｃは給紙トレイ８７から給紙口８５に自動的に供給される。このような構造は、複数の読取対象物Ｄｃを一括して給紙トレイ８７に設置し、連続的に読み取りを行う際に有用である。
【００８４】
図７〜図１４は、本発明の他の実施形態を示している。なお、これらの図において、上記実施形態と同一または類似の要素には、上記実施形態と同一の符号を付している。
【００８５】
図７は、本発明の第２実施形態に基づく画像読取装置Ａ２を示している。画像読取装置Ａ２は、１対のイメージセンサモジュール１０２Ａ，１０２Ｂを備えている。イメージセンサモジュール１０２Ａ，１０２Ｂは、基板５Ａ，５Ｂの形状と、ケース１Ａ，１Ｂの一部の形状とがイメージセンサモジュール１０１Ａ，１０１Ｂと異なっており、その他の構成はイメージセンサモジュール１０１Ａ，１０１Ｂと同様となっている。なお、図７では筐体８を省略している。図８にはイメージセンサモジュール１０２Ａを図７中下方から見た図を示している。また、本実施形態においても、イメージセンサモジュール１０２Ｂは、イメージセンサモジュール１０２Ａをｘ方向に沿う軸線を中心にして１８０°回転させたものである。イメージセンサモジュール１０２Ｂの説明は省略する。
【００８６】
本実施形態では、図８に示すように、基板５Ａが、ｚ方向視Ｌ字状に形成されている。図８に示すように、基板５Ａには、ｘ方向に長く延びる受光手段６Ａが設置されている。受光手段６Ａを設置するために必要なｙ方向寸法は比較的短く、図８に示すように基板５Ａのｙ方向寸法を短くしても構わない。一方で、基板５Ａには光源手段３１Ａも連結されている。光源手段３１Ａは、ｙ方向において受光手段６Ａから図８中上方にずれた位置に配置されている。このような光源手段３１Ａとの連結を効率よく図るために、基板５Ａはｘ方向における図８中右端においてｙ方向寸法が長くなっている。ｚ方向視において光源手段３１Ａと基板５Ａの右端部とは重なっている。
【００８７】
本実施形態では、図８に示すように、ｚ方向視Ｌ字状の基板５Ａを適切に収容するように、凹部１８Ａは、基板５Ａが嵌合するｚ方向視Ｌ字状に形成されている。本実施形態における凹部１８Ａは、たとえば図５に示す場合と比較して、ｘ方向における大部分の領域においてｙ方向寸法が短くなっている。このため、図５に示す場合と異なり、図８に示す開口部１８２Ａは、ｚ方向視において光源手段３１Ａに対応する矩形状となり、溝状の部分を有さないことになる。
【００８８】
図７に示すケース１Ａは、凹部１８Ａが縮小した分だけ、図６に示すケース１Ａよりも肉厚な形状となる。図６に示す場合ではリフレクタ３３Ａの図中下方が開口していたが、図７に示す場合では、リフレクタ３３Ａの図中下方は樹脂によって覆われており、側面１７Ａはｚ方向視において線状光源３Ａと重なる領域を有することになる。換言すれば、本実施形態におけるケース１Ａは、基板５Ａのｙ方向寸法が短くなった分だけ樹脂の量を増やし、厚みのある部分を広くとることができる。図７に示すように、ｘ方向における略全長に渡って、厚みが増加しており、ケース１Ａは全体的に剛性が向上することになる。このことは、ケース１Ａが不当に変形してしまうのを防ぐ上で効果的である。
【００８９】
本実施形態におけるケース１Ａは、リフレクタ３３Ａのｚ方向における図７中下方を樹脂で覆う必要があるものの、イメージセンサモジュール１０１Ａにおけるケース１Ａと比較して、ｚ方向寸法を長くする必要性はない。樹脂が増量されている部分は、基板５Ａのｙ方向寸法が短くなったことによって生じたスペースであるためである。
【００９０】
また、本実施形態における基板５Ａは、たとえば板状の基板材料５０Ａを切断することによって形成される。図９には、基板材料５０Ａを切断する際の切断線の一例を二点鎖線で示している。図９に示す例では、ｘ方向における図中右端部がｙ方向図中下方に突き出す基板５Ａ１と、ｘ方向における図中左端部がｙ方向図中上方に突き出す基板５Ａ２とを交互に切り出すことができる。なお、基板５Ａ２は、ｚ方向に沿う軸線を中心にして１８０°回転させると基板５Ａ１と同じものであり、基板５Ａ１，５Ａ２はともに基板５Ａあるいは基板５Ｂとして使用できる。このような切断方法によれば、同じサイズの基板材料５０Ａからより多くの基板５Ａを切り出すことができる。従って、Ｌ字状の基板５Ａを採用することにより、基板５Ａの生産効率が低下することも生じず、図５に示す基板５Ａを製造する場合よりも効率よく図８に示す基板５Ａを製造することができる。
【００９１】
図１０は、本発明の第３実施形態に基づく画像読取装置Ａ３を示している。図１０に示す画像読取装置Ａ３は、１対のイメージセンサモジュール１０３Ａ，１０３Ｂを備えている。図１１〜図１３にはイメージセンサモジュール１０３Ａを示している。イメージセンサモジュール１０３Ａは、基板５Ａの形状と、ケース１Ａの一部の形状とがイメージセンサモジュール１０１Ａと異なっており、その他の構成はイメージセンサモジュール１０１Ａと同様となっている。なお、図１０では筐体８を省略している。図１１はイメージセンサモジュール１０３Ａをｚ方向視図１０中下方から見た図である。また、本実施形態においても、イメージセンサモジュール１０３Ｂは、イメージセンサモジュール１０３Ａをｘ方向に沿う軸線を中心にして１８０°回転させたものである。イメージセンサモジュール１０３Ｂの説明は省略する。
【００９２】
図１１に示すように、本実施形態における基板５Ａにはｘ方向に沿って配列された複数の貫通孔５２Ａが形成されている。各貫通孔５２Ａはｚ方向視矩形状であり、基板５Ａをｚ方向に貫通するように形成されている。各貫通孔５２Ａは、ｙ方向において受光手段６Ａよりも図１１中上側に位置している。
【００９３】
図１１に示すように、ケース１Ａは、ｘ方向に沿って配列された複数の突出部１９Ａを有している。図１３に示すように、各突出部１９Ａは、各貫通孔５２Ａに嵌まり込むようｚ方向に突出しており、ｚ方向視においてリフレクタ３３Ａと重なっている。ケース１Ａの突出部１９Ａが設けられていない部分の断面は、図１２に示すように、イメージセンサモジュール１０１Ａの場合とほぼ同様となっている。
【００９４】
図１３に示すように、突出部１９Ａが設けられている部分において、ケース１Ａはｚ方向に比較的厚く形成されている。このような突出部１９Ａがｘ方向に沿って複数設けられているため、本実施形態におけるケース１Ａは、イメージセンサモジュール１０１Ａにおけるケース１Ａと比較して剛性が高くなる。このことは、ケース１Ａが不当に変形してしまうのを防ぐ上で効果的である。
【００９５】
本実施形態におけるケース１Ａは、ｚ方向に突出する突出部１９Ａを設ける必要があるものの、イメージセンサモジュール１０１Ａにおけるケース１Ａと比較して、ｚ方向寸法を長くする必要はない。各突出部１９Ａは基板５Ａに設けられた各貫通孔５２Ａに嵌合しているためである。
【００９６】
図１４は、本発明の第４実施形態に基づく画像読取装置Ａ４を示している。図１４に示す画像読取装置Ａ４は、たとえば比較的長い焦点距離を有するレンズ部材４Ａ，４Ｂを用いて構成されたイメージセンサモジュール１０４Ａ，１０４Ｂと、搬送手段７と、これらを収容する図示しない筐体とを備えている。イメージセンサモジュール１０４Ｂは、イメージセンサモジュール１０４Ａを主走査方向に沿う軸線を中心として１８０°回転させたものとほぼ同じ断面を有している。
【００９７】
図１４に示すように、ケース１Ａのｙ方向における図中右端部には、ｙ方向に凹む凹部１８Ａが形成されている。基板５Ａは設置面５１Ａがｙ方向に垂直な面となるように凹部１８Ａに嵌め込まれている。本実施形態における設置面５１Ａは、ｚ方向における図１４中下側ほどｙ方向において読取対象面Ｄｃ１から遠ざかるように、読取対象面Ｄｃ１に対して傾斜している。設置面５１Ｂは、ｙ方向に対して垂直であり、かつ、ｚ方向における図中下側ほどｙ方向において読取対象面Ｄｃ２に近づくように、読取対象面Ｄｃ２に対して傾斜している。
【００９８】
イメージセンサモジュール１０４Ａに用いられているレンズ部材４Ａは、たとえばイメージセンサモジュール１０１Ａに用いられているレンズ部材４Ａよりも焦点距離が長いものである。このため、イメージセンサモジュール１０４Ａでは、イメージセンサモジュール１０１Ａの場合よりも、読取対象物Ｄｃとレンズ部材４Ａとの距離を長くし、かつ、レンズ部材４Ａと受光手段６Ａとの距離を長くする必要がある。これらの距離を長くしようとする場合、イメージセンサモジュール１０１Ａの構成によれば、ケース１Ａのｚ方向寸法が長くなることを避けるのは困難である。一方、イメージセンサモジュール１０４Ａの構成によれば、ｚ方向寸法を長くすることなく、ｙ方向寸法を長くすることにより、読取対象物Ｄｃとレンズ部材４Ａとの距離およびレンズ部材４Ａと受光手段６Ａとの距離を長くすることができる。
【００９９】
本発明に基づく画像読取装置は、上述した実施形態に限定されるものではない。本発明に基づく画像読取装置の各部の具体的な構成は、種々に設計変更自在である。たとえば、画像読取装置Ａ１では、同一の構成である１対イメージセンサモジュール１０１Ａ，１０１Ｂを備えているが、異なる構成の１対のイメージセンサモジュールを用いて装置を構成してもよい。たとえば、イメージセンサモジュール１０１Ａとイメージセンサモジュール１０２Ｂとを組み合わせたものも、本発明に基づく画像読取装置の範囲に含まれる。
【０１００】
また、上述したイメージセンサモジュール１０１Ａ〜１０３Ａにおいては、ｙ方向とＹ方向とが成す角度が４５°であったが、この角度は好ましい一例に過ぎない。ｙ方向とＹ方向とが成す角度は適宜調整可能である。
【符号の説明】
【０１０１】
Ａ１〜Ａ４    画像読取装置
Ｄｃ          読取対象物
ｘ      （主走査）方向
Ｙ      （副走査）方向
Ｚ      （主走査方向および副走査方向と直交する）方向
ｙ      （第１の）方向
ｚ      （第２の）方向
１０１Ａ〜１０４Ａ  （第１の）イメージセンサモジュール
１０１Ｂ〜１０４Ｂ  （第２の）イメージセンサモジュール
１Ａ，１Ｂ  ケース
１１Ａ，１１Ｂ  側面
１２Ａ，１２Ｂ  カバー嵌合部
１３Ａ，１３Ｂ  側面
１４Ａ，１４Ｂ  側面
１５Ａ，１５Ｂ  側面
１６Ａ，１６Ｂ  側面
１７Ａ，１７Ｂ  側面
１８Ａ，１８Ｂ  凹部
１８１Ａ，１８１Ｂ  開口部
１８２Ａ，１８２Ｂ  開口部
１９Ａ，１９Ｂ  突起部
１２１，１２２，１２３，１２４  支持面
２Ａ，２Ｂ  透明カバー
２１Ａ，２１Ｂ  側面
２２Ａ，２２Ｂ  側面
２３Ａ，２４Ａ  側面
２２１Ａ，２２３Ａ  側面
２５Ａ，２５Ｂ  遮光部材
３Ａ，３Ｂ  線状光源
３１Ａ      光源手段
３２Ａ，３２Ｂ  導光体
３３Ａ，３３Ｂ  リフレクタ
３２１Ａ，３２１Ｂ  光出射面
４Ａ，４Ｂ  レンズ部材
４１Ａ      レンズアレイ
４２Ａ      レンズホルダ
５Ａ，５Ｂ  基板
５１Ａ，５１Ａ  設置面
５２Ａ，５２Ｂ  貫通孔
６Ａ，６Ｂ  受光手段
７      搬送手段
８      筐体
８１    下板部
８２    上板部
８３    右板部
８４    左板部
８５    給紙口
８６    排出口
８７    給紙トレイ
【図１】
2012253537.tif 000003
【図２】
2012253537.tif 000004
【図３】
2012253537.tif 000005
【図４】
2012253537.tif 000006
【図５】
2012253537.tif 000007
【図６】
2012253537.tif 000008
【図７】
2012253537.tif 000009
【図８】
2012253537.tif 000010
【図９】
2012253537.tif 000011
【図１０】
2012253537.tif 000012
【図１１】
2012253537.tif 000013
【図１２】
2012253537.tif 000014
【図１３】
2012253537.tif 000015
【図１４】
2012253537.tif 000016
【図１５】
2012253537.tif 000017